【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
遊技制御開始条件の成立があった場合に、遊技制御を開始する制御を少なくとも実行可能な遊技制御手段と、
制御状態復帰条件の成立があった場合に、制御状態の復帰処理を少なくとも実行可能な制御状態復帰手段と、
大当り開始条件の成立があった場合に、制御状態を大当り状態に移行させる制御を少なくとも実行可能な大当り制御手段と、
大当りに関する情報を少なくともカウント可能なカウント手段と、
演出表示を少なくとも実行可能な演出表示手段と、
低電圧信号出力条件の成立があった場合に、低電圧信号を少なくとも出力可能な電圧監視手段と、
を備えた遊技台であって、
前記低電圧信号出力条件は、前記電圧監視手段が監視している電源ラインの電圧が基準電圧よりも低いことを少なくとも一つの条件として、成立するものであり、
前記制御状態復帰条件は、前記遊技制御手段に前記低電圧信号が入力された後、該遊技制御手段に起動信号が入力されたことを少なくとも一つの条件として、成立するものであり、
前記復帰処理は、前記遊技制御手段に前記低電圧信号が入力された際の制御状態に復帰させる処理であり、
前記演出表示手段は、第一の表示条件の成立があった場合に、第一の演出表示を少なくとも実行可能なものであり、
前記演出表示手段は、第二の表示条件の成立があった場合に、第二の演出表示を少なくとも実行可能なものであり、
前記第一の表示条件は、前記カウント手段によるカウント数が第一のカウント数であることを少なくとも一つの条件として、成立するものであり、
前記第二の表示条件は、前記カウント手段によるカウント数が前記第一のカウント数よりも少ない第二のカウント数であることを少なくとも一つの条件として、成立するものであり、
前記演出表示手段は、前記第一の演出表示を実行している状態で前記低電圧信号が前記遊技制御手段に入力され、その後に前記起動信号が該遊技制御手段に入力された場合に、前記第二の演出表示を少なくとも実行可能なものである、
ことを特徴とする遊技台。
【請求項２】
遊技制御開始条件の成立があった場合に、遊技制御を開始する制御を少なくとも実行可能な遊技制御手段と、
制御状態復帰条件の成立があった場合に、制御状態の復帰処理を少なくとも実行可能な制御状態復帰手段と、
大当り開始条件の成立があった場合に、制御状態を大当り状態に移行させる制御を少なくとも実行可能な大当り制御手段と、
大当りに関する情報を少なくともカウント可能なカウント手段と、
演出表示を少なくとも実行可能な演出表示手段と、
低電圧信号出力条件の成立があった場合に、低電圧信号を少なくとも出力可能な電圧監視手段と、
を備えた遊技台であって、
前記低電圧信号出力条件は、前記電圧監視手段が監視している電源ラインの電圧が基準電圧よりも低いことを少なくとも一つの条件として、成立するものであり、
前記制御状態復帰条件は、前記遊技制御手段に前記低電圧信号が入力された後、該遊技制御手段に起動信号が入力されたことを少なくとも一つの条件として、成立するものであり、
前記復帰処理は、前記遊技制御手段に前記低電圧信号が入力された際の制御状態に復帰させる処理であり、
前記演出表示手段は、第一の表示条件の成立があった場合に、第一の演出表示を少なくとも実行可能なものであり、
前記演出表示手段は、第二の表示条件の成立があった場合に、第二の演出表示を少なくとも実行可能なものであり、
前記第一の表示条件は、前記カウント手段によるカウント数が第一のカウント数であることを少なくとも一つの条件として、成立するものであり、
前記第二の表示条件は、前記カウント手段によるカウント数が前記第一のカウント数よりも少ない第二のカウント数であることを少なくとも一つの条件として、成立するものであり、
前記演出表示手段は、前記第一の演出表示を実行している状態で前記低電圧信号が前記遊技制御手段に入力され、その後に前記復帰処理が実行された場合に、前記第二の演出表示を少なくとも実行可能なものである、
ことを特徴とする遊技台。
【請求項３】
請求項１又は２に記載の遊技台であって、
前記遊技制御手段に供給される電圧が低下している場合に、前記電源ラインの電圧は低下しているものである、
ことを特徴とする遊技台。
【請求項４】
請求項１乃至３のうちいずれか１項に記載の遊技台であって、
前記低電圧信号は、前記遊技制御を継続できる状態では出力されないものである、
ことを特徴とする遊技台。
【請求項５】
請求項１乃至４のうちいずれか１項に記載の遊技台であって、
前記遊技制御手段を少なくとも有する主制御手段と、
演出制御手段を少なくとも有する副制御手段と、
を備え、
前記演出制御手段は、前記演出表示手段の制御を少なくとも実行可能なものであり、
前記カウント手段は、前記主制御手段と前記副制御手段とのうちのいずれか一方に備えられている、
ことを特徴とする遊技台。
【請求項６】
請求項５に記載の遊技台であって、
前記カウント手段は、前記副制御手段に備えられたものである、
ことを特徴とする遊技台。
【請求項７】
請求項５又は６に記載の遊技台であって、
前記主制御手段は、前記起動信号が前記遊技制御手段に入力され、その後に前記低電圧信号が該遊技制御手段に入力されたことに基づいて、前記副制御手段への復電コマンドの送信を少なくとも実行可能なものであり、
前記演出表示手段は、前記復電コマンドの受信後に前記第二の演出表示を少なくとも実行可能なものである、
ことを特徴とする遊技台。
【請求項８】
請求項５乃至７のうちいずれか１項に記載の遊技台であって、
前記制御状態復帰手段は、前記副制御手段に備えられたものである、
ことを特徴とする遊技台。
【請求項９】
請求項５乃至７のうちいずれか１項に記載の遊技台であって、
前記制御状態復帰手段は、前記主制御手段に備えられたものである、
ことを特徴とする遊技台。
【請求項１０】
請求項１乃至９のうちいずれか１項に記載の遊技台であって、
前記第一の演出表示は、数字、または記号や図形の数による表示であり、
前記第二の演出表示は、数字、または記号や図形の数による表示である、
ことを特徴とする遊技台。
【請求項１１】
請求項１乃至１０のうちいずれか１項に記載の遊技台であって、
前記第一の演出表示は、大当りの連荘回数を表す表示であり、
前記第二の演出表示は、大当りの連荘回数を表す表示である、
ことを特徴とする遊技台。
【手続補正２】
【補正対象書類名】明細書
【補正対象項目名】０００９
【補正方法】変更
【補正の内容】
【０００９】
上記目的を解決する本発明の第一の遊技台は、
遊技制御開始条件の成立があった場合に、遊技制御を開始する制御を少なくとも実行可能な遊技制御手段と、
制御状態復帰条件の成立があった場合に、制御状態の復帰処理を少なくとも実行可能な制御状態復帰手段と、
大当り開始条件の成立があった場合に、制御状態を大当り状態に移行させる制御を少なくとも実行可能な大当り制御手段と、
大当りに関する情報を少なくともカウント可能なカウント手段と、
演出表示を少なくとも実行可能な演出表示手段と、
低電圧信号出力条件の成立があった場合に、低電圧信号を少なくとも出力可能な電圧監視手段と、
を備えた遊技台であって、
前記低電圧信号出力条件は、前記電圧監視手段が監視している電源ラインの電圧が基準電圧よりも低いことを少なくとも一つの条件として、成立するものであり、
前記制御状態復帰条件は、前記遊技制御手段に前記低電圧信号が入力された後、該遊技制御手段に起動信号が入力されたことを少なくとも一つの条件として、成立するものであり、
前記復帰処理は、前記遊技制御手段に前記低電圧信号が入力された際の制御状態に復帰させる処理であり、
前記演出表示手段は、第一の表示条件の成立があった場合に、第一の演出表示を少なくとも実行可能なものであり、
前記演出表示手段は、第二の表示条件の成立があった場合に、第二の演出表示を少なくとも実行可能なものであり、
前記第一の表示条件は、前記カウント手段によるカウント数が第一のカウント数であることを少なくとも一つの条件として、成立するものであり、
前記第二の表示条件は、前記カウント手段によるカウント数が前記第一のカウント数よりも少ない第二のカウント数であることを少なくとも一つの条件として、成立するものであり、
前記演出表示手段は、前記第一の演出表示を実行している状態で前記低電圧信号が前記遊技制御手段に入力され、その後に前記起動信号が該遊技制御手段に入力された場合に、前記第二の演出表示を少なくとも実行可能なものである、
ことを特徴とする。
上記目的を解決する本発明の第二の遊技台は、
遊技制御開始条件の成立があった場合に、遊技制御を開始する制御を少なくとも実行可能な遊技制御手段と、
制御状態復帰条件の成立があった場合に、制御状態の復帰処理を少なくとも実行可能な制御状態復帰手段と、
大当り開始条件の成立があった場合に、制御状態を大当り状態に移行させる制御を少なくとも実行可能な大当り制御手段と、
大当りに関する情報を少なくともカウント可能なカウント手段と、
演出表示を少なくとも実行可能な演出表示手段と、
低電圧信号出力条件の成立があった場合に、低電圧信号を少なくとも出力可能な電圧監視手段と、
を備えた遊技台であって、
前記低電圧信号出力条件は、前記電圧監視手段が監視している電源ラインの電圧が基準電圧よりも低いことを少なくとも一つの条件として、成立するものであり、
前記制御状態復帰条件は、前記遊技制御手段に前記低電圧信号が入力された後、該遊技制御手段に起動信号が入力されたことを少なくとも一つの条件として、成立するものであり、
前記復帰処理は、前記遊技制御手段に前記低電圧信号が入力された際の制御状態に復帰させる処理であり、
前記演出表示手段は、第一の表示条件の成立があった場合に、第一の演出表示を少なくとも実行可能なものであり、
前記演出表示手段は、第二の表示条件の成立があった場合に、第二の演出表示を少なくとも実行可能なものであり、
前記第一の表示条件は、前記カウント手段によるカウント数が第一のカウント数であることを少なくとも一つの条件として、成立するものであり、
前記第二の表示条件は、前記カウント手段によるカウント数が前記第一のカウント数よりも少ない第二のカウント数であることを少なくとも一つの条件として、成立するものであり、
前記演出表示手段は、前記第一の演出表示を実行している状態で前記低電圧信号が前記遊技制御手段に入力され、その後に前記復帰処理が実行された場合に、前記第二の演出表示を少なくとも実行可能なものである、
ことを特徴とする。